(57)【要約】      （修正有）【課題】スープと麺を分離して収容する携帯用食器の斬新構造を提供する。【解決手段】食器の容器を本体１００及び副本体２００で構成し、お椀状の本体及び副本体の頂部にそれぞれ開口１１０、及び２１０を設け、副本体の底部に複数の穴を設けて、該副本体を本体開口に重ねて互いに套合して一体とする。スープ麺等の固形物とスープからなる食品を該副本体内に入れると、液状のスープは底部の穴を通って本体内に貯留され、副本体内に固形分がスープと分離して収容され、麺等の固形分がスープを吸収して食感が劣化することを防止することが出来る。食するに際しては、副本体を本体から分離して副本体内の固形分を本体内に入れてスープと共に摂食すればよい。３００は蓋である。【選択図】図１
0003202954.tif 000002
【実用新案登録請求の範囲】
【請求項１】
食品を収容する容器を本体及び副本体により構成し、
該本体及び副本体の頂部にそれぞれ開口を設け、且つ該副本体の底部にスープなどの液体を流下分離する複数の穴を設けて該副本体を本体の上記開口に重ねて互いに套合するようにしたことを特徴とする携帯用食器の斬新構造。
【請求項２】
前記副本体上に更に蓋体を連結したことを特徴とする請求項１記載の携帯用食器の斬新構造。
【請求項３】
前記副本体のお椀口の部分に、摘み部を増設したことを特徴とする請求項１記載の携帯用食器の斬新構造。
【請求項４】
前記副本体のお椀口の口径を、本体のお椀口の口径より小さくし、且つ該本体のお椀口の内壁縁に環状の掛止部を設けたことを特徴とする請求項１記載の携帯用食器の斬新構造。
【請求項５】
前記本体上に更に蓋体を連結したことを特徴とする請求項３記載の携帯用食器の斬新構造。
【請求項６】
前記本体のお椀口の口径は、副本体のお椀口の口径より大きく、該本体の頂縁部には外向きに環状の掛止部を延伸したことを特徴とする請求項１記載の携帯用食器の斬新構造。
【請求項７】
前記本体上に更に蓋体を連結したことを特徴とする請求項５記載の携帯用食器の斬新構造。
【請求項８】
前記副本体の高さは、本体の高さより低くしたことを特徴とする請求項１記載の携帯用食器の斬新構造。
【請求項９】
前記本体及び副本体の材質は紙製であることを特徴とする請求項１記載の携帯用食器の斬新構造。
【請求項１０】
前記本体及び副本体の材質はプラスティックであることを特徴とする請求項１記載の携帯用食器の斬新構造。
【考案の詳細な説明】
【技術分野】
【０００１】
本考案は、食器の構造に関し、特にスープと麺を分離して収容することができる斬新な容器の構造であり、特に、スープ麺のテイクアウトの時に適用する携帯用食器の斬新構造に関する。
【背景技術】
【０００２】
現代のサラリーマンは、買い物に行く手間と、駐車場を探すのが面倒くさい故に、ディナー或いはランチは、テイクアウトで済ますことが多い。店はそれにより来客数を増やせる上、サラリーマンたちはより多くのメニューを選択することができる。
【０００３】
ただ、店でスープ麺(例えば：ワンタン麺、具無し麺、牛肉麺など、スープのある麺)を容器に盛る場合、麺とスープを同じお椀の中に入れることが多い。周知の通り、麺を長く煮る、或いはスープの中に長く入れると伸びるため、食べるときに食感が悪くなり、食欲にも影響し、リピーターになりにくい。よって、完成した麺とスープを別々に包装する店が多い。しかし、この方法では、別途もう一つのプラスティック袋を使って麺或いはスープを入れる必要がある。プラスティックは自然界で分解ができないため、店のコストが増える上、環境を汚染する結果を導くことになることを鑑みて、更なる改善が必要であった。
【先行技術文献】
【特許文献】
【０００４】
【特許文献１】特開２００５−３５６４７号公報
【考案の概要】
【考案が解決しようとする課題】
【０００５】
前記公知構造の欠点を解決するため、本考案はスープ及び麺を分離して収容する携帯用食器の斬新構造を提供することを主な課題とする。
【課題を解決するための手段】
【０００６】
前記課題を解決するために、本考案は携帯用食器の斬新構造を提供するものである。お椀に似た形状の本体及び副本体からなり、該本体及び副本体の頂部に一つの開口を具有し、該副本体は本体の開口を通じて重ねて本体と互いに套合し、且つ該副本体の底部に複数の穴を設ける。
【０００７】
これら該本体及び副本体の材質は紙或いはプラスティックにより形成することができる。
【０００８】
さらに、該副本体上に更に一つの蓋体を連結することができる。
【０００９】
さらに、該副本体のお椀口の部分に摘み部を増設することができる。
【００１０】
本考案の主な特徴は、先ずスープを本体内に入れ、更に麺を副本体内に入れれば、スープと麺を分離して収容する効果を達成する。もちろん本考案は、まず本体及び副本体を結合してから、スープ麺を副本体の開口に入れることもでき、麺は副本体内に残り、スープは副本体の底部にある穴から本体内に流れるため、同じくスープと麺を離す効果を達成する。
【００１１】
本考案の第２の特徴は、副本体のお椀口の部分に摘み部を増設することである。食べる際に、該摘み部を持って、副本体を本体から引き出すに便利であり、それから副本体内にある麺を本体内に入れれば、最上の食用状態に戻すことができる。この他、該本体及び副本体の材質は、紙で作成するのがベストであり、リサイクルして再利用しやすい。
【考案の効果】
【００１２】
本考案の本体及び副本体の構造により、スープ麺をテイクアウトしても、麺とスープを分離して収容されているため、麺がスープを吸いすぎて伸びて食感が悪くなるのを避けることができる。
【図面の簡単な説明】
【００１３】
【図１】本考案の立体図である。
【図２】本考案の断面図である。
【図３】本考案の実施略図(一)である。
【図４】本考案の実施略図(二)である。
【図５】本考案の実施略図(三)である。
【図６】本考案の第二構造立体図である。
【図７】本考案の第二構造略図である。
【図８】本考案の第三構造立体図である。
【図９】本考案の第三構造略図である。
【考案を実施するための形態】
【００１４】
以下、本考案の構造と特徴および効果を、最良実施例と図面を参照しながら詳細に説明する。
【実施例１】
【００１５】
図１及び図２に示すのは、本考案の立体図及び断面図である。
【００１６】
以下に述べる本考案の携帯用食器の斬新構造を構成するのは、お椀型の本体１００及び副本体２００であり、該本体１００及び副本体２００の頂部に開口１１０、２１０を設け、該副本体２００は本体１００の開口１１０を介して本体１００に重ねて互いに套合し、且つ該副本体２００の底部に複数の穴２２０を設ける。
【００１７】
更に、該副本体２００上に更に一つの蓋体３００を連結することができる。
【００１８】
また更に、該副本体２００のお椀口の部分に、摘めるように摘み部２３０を増設することができる。
【００１９】
上述で分かるように、スープ麺を本考案の容器に盛る際、該副本体２００は各穴２２０により麺が上に残り、スープが本体１００内に流れ落ちる。また、麺がスープになるべく付かないよう、該副本体２００の高さＨ２は本体１００の高さＨ１より短く、半分より短いのがベストである。
【００２０】
この他、本体１００及び副本体２００の材質は紙或いはプラスティックで作られる。中でも紙の材質が最良であり、リサイクルに利用する際に処理しやすく、且つ環境を汚染することも少ない。
【００２１】
本考案の実施方法は、下記に述べる通りである：
【００２２】
図３、図４及び図５に示すのは、本考案の実施略図である。
【００２３】
図で分かるように、店ではまず作り終えた麺（図ではニョッキを例に上げる）を副本体２００内に入れ、スープを本体１００内に入れてから副本体２００を本体１００の開口１１０に重ねて套合する。本体１００及び副本体２００のお椀の口径Ｋ１、Ｋ２は相対して重ねられる対応関係にあるため、副本体２００は本体１００内に落ちることなく、麺もスープに浸かりすぎて伸びることなく食感を維持でき、食品を美味しく頂ける時間を延長する効果を達成する。上述のステップを完了した後、蓋体３００を副本体２００に蓋合すれば、全体の包装が完成する。
【００２４】
続いて、それを頂く際に、まず蓋体３００を開けてから、摘み部２３０を摘んで副本体２００を本体１００のお椀口から離す。続いて副本体２００内の麺を本体１００内に入れ、麺とスープが一緒にして、ベストな食用状態に戻す。また、食べた後のリサイクルも便利である。本体１００及び副本体２００の材質は紙或いはプラスティックで作られているため、リサイクルして再利用できるメリットを持つ。
【００２５】
本考案は別の構造状態を具有する。その構造は下記に述べるとおりである：
【００２６】
図６及び図７に示すのは、本考案の第二構造略図及び立体図である。図で分かるように、該副本体２００のお椀口の口径Ｋ２は本体１００のお椀口の口径Ｋ１よりやや小さく、且つ該本体１００のお椀口の内壁縁に環状の掛止部１２０を設ける。該掛止部１２０により、副本体２００を引っ掛けることができるため、副本体２００のお椀口が本体１００のお椀口と高さが同じになり、更に蓋体３００を本体１００に蓋合すれば、全体の密閉性を高めることができ、スープがこぼれる恐れを低減することができる。
【００２７】
図８及び図９に示すのは、本考案の第三構造略図及び立体図である。図で分かるように、該本体１００のお椀口の口径Ｋ１は副本体２００のお椀口の口径Ｋ２よりやや大きい。該本体１００の頂縁部は外向きに環状の掛止部１３０を延伸する。その効果は上述と同じく、いずれも副本体２００を本体１００の開口を塞いで係止することができるため、副本体２００のお椀口が本体１００のお椀口と高さが同じになり、更に蓋体３００を本体１００に蓋合すれば、全体の密閉性を高めることができ、スープがこぼれるおそれを低減することができる。
【００２８】
上述をまとめると、本考案の携帯用食器の斬新構造には下記のメリットを具有する：
１、      本考案の携帯用食器の斬新構造は、本体及び副本体の構造により、スープと麺を分離して収容することができ、麺がスープに長く浸かりすぎて伸びて食感が悪くなるのを回避する。
２、  本考案の携帯用食器の斬新構造では、副本体に設けた摘み部により、簡単に副本体を本体から出すことができ、そのうえで副本体内にある麺を本体内のスープ内に入れて、便利に食べることができる。
【００２９】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３０】
１００    本体
１１０    開口
１２０    掛止部
１３０    掛止部
２００    副本体
２１０    開口
２２０    穴
２３０    摘み部
３００    蓋体
Ｋ１      口径
Ｋ２      口径
Ｈ１      高さ
Ｈ２      高さ
【図１】
0003202954.tif 000003
【図２】
0003202954.tif 000004
【図３】
0003202954.tif 000005
【図４】
0003202954.tif 000006
【図５】
0003202954.tif 000007
【図６】
0003202954.tif 000008
【図７】
0003202954.tif 000009
【図８】
0003202954.tif 000010
【図９】
0003202954.tif 000011